(57)【要約】【課題】複数のユーザが所定のデータに対応するアプリケーションプログラムを所有していなくともレビューし合うことができると共に、作業性を向上させることができるレビュー方法を提供することを目的としている。【解決手段】ユーザがユーザ端末を用いて所定のデータをレビューサーバにアップロードするステップＳ４と、  ユーザ端末のＷｅｂブラウザーで使用可能なプログラムをレビューサーバからユーザ端末にダウンロードするステップＳ３と、  アップロードされた所定のデータに対し、ユーザ端末のＷｅｂブラウザー上で、ユーザ又は他のユーザがユーザ端末を用いて所定の書き込みを行う際、ユーザ端末がダウンロードされたプログラムに基づいて書き込み用レイヤーを生成するステップＳ９と、  書き込み用レイヤーを所定のデータに重ね合わせた画面データをユーザ端末のＷｅｂブラウザーに表示させるステップＳ１０と、を含んでなる。【選択図】図７
2019053571.tif 000002
【特許請求の範囲】
【請求項１】
複数のユーザ端末とサーバとがネットワークを介して接続されてなるレビュー方法であって、
ユーザが前記ユーザ端末を用いて所定のデータを前記サーバにアップロードするステップと、
前記ユーザ端末のＷｅｂブラウザーで使用可能なプログラムを前記サーバから前記ユーザ端末にダウンロードするステップと、
前記ユーザ端末のＷｅｂブラウザー上で、前記アップロードされた前記所定のデータに対し、前記ユーザ又は他のユーザが前記ユーザ端末を用いて所定の書き込みを行う際、該ユーザ端末が前記プログラムに基づいて書き込み用レイヤーを生成するステップと、
前記書き込み用レイヤーを前記所定のデータに重ね合わせた画面データを前記ユーザ端末のＷｅｂブラウザーに表示させるステップと、を含んでなるレビュー方法。
【請求項２】
前記ユーザ又は他のユーザが前記ユーザ端末を用いて、前記所定の書き込みがされた書き込み用レイヤーに関連付けたコメントが可能なように、該ユーザ端末が前記プログラムに基づいてコメント欄を生成するステップをさらに含んでなる請求項１に記載のレビュー方法。
【請求項３】
前記書き込み用レイヤーに前記所定の書き込みをした後、新たに、前記ユーザ又は他のユーザが前記ユーザ端末を用いて、新たな書き込みを行う際、該ユーザ端末が前記プログラムに基づいて新たな書き込み用レイヤーを生成するステップをさらに含んでなる請求項１又は２に記載のレビュー方法。
【請求項４】
前記サーバが前記所定のデータを前記ユーザ端末のＷｅｂブラウザーにより表示可能な画像データに変換し、該変換した画像データに前記書き込み用レイヤーを重ね合わせた画面データを前記ユーザ端末のＷｅｂブラウザーに表示させるステップをさらに含んでなる請求項１〜３の何れか１項に記載のレビュー方法。
【請求項５】
前記サーバが前記所定のデータに対し、前記ユーザ又は他のユーザが前記ユーザ端末を用いて所定の書き込みが行われた時間軸上に沿って、該所定の書き込み内容を一覧にした画面データを前記ユーザ端末のＷｅｂブラウザーに表示させるステップをさらに含んでなる請求項１〜４の何れか１項に記載のレビュー方法。
【請求項６】
複数のユーザ端末とサーバとがネットワークを介して接続されてなるレビュー方法であって、
ユーザが前記ユーザ端末を用いて所定のデータを前記サーバにアップロードするステップと、
前記アップロードされた前記所定のデータに対し、前記ユーザ又は他のユーザが前記ユーザ端末を用いて所定の書き込みを行う際、前記サーバが書き込み用レイヤーを生成するステップと、
前記サーバが前記書き込み用レイヤーを前記所定のデータに重ね合わせた画面データを前記ユーザ端末のＷｅｂブラウザーに表示させるステップと、を含んでなるレビュー方法。
【請求項７】
前記ユーザ又は他のユーザが前記ユーザ端末を用いて、前記所定の書き込みがされた書き込み用レイヤーに関連付けたコメントが可能なように、前記サーバがコメント欄を生成するステップをさらに含んでなる請求項６に記載のレビュー方法。
【請求項８】
前記サーバが生成した書き込み用レイヤーに前記所定の書き込みをした後、新たに、前記ユーザ又は他のユーザが前記ユーザ端末を用いて、新たな書き込みを行う際、前記サーバが新たな書き込み用レイヤーを生成するステップをさらに含んでなる請求項６又は７に記載のレビュー方法。
【請求項９】
前記サーバが前記所定のデータを前記ユーザ端末のＷｅｂブラウザーにより表示可能な画像データに変換し、該変換した画像データに前記書き込み用レイヤーを重ね合わせた画面データを前記ユーザ端末のＷｅｂブラウザーに表示させるステップをさらに含んでなる請求項６〜８の何れか１項に記載のレビュー方法。
【請求項１０】
前記サーバが前記所定のデータに対し、前記ユーザ又は他のユーザが前記ユーザ端末を用いて所定の書き込みが行われた時間軸上に沿って、該所定の書き込み内容を一覧にした画面データを前記ユーザ端末のＷｅｂブラウザーに表示させるステップをさらに含んでなる請求項６〜９の何れか１項に記載のレビュー方法。
【発明の詳細な説明】
【技術分野】
【０００１】
本発明は、所定のデータに対し複数のユーザがレビューし合うレビュー方法に関する。
【背景技術】
【０００２】
一般的に、ＷＯＲＤ（登録商標）や、ＥＸＣＥＬ（登録商標）、あるいは、ＣＡＤ（ＣｏｍｐｕｔｅｒＡｉｄｅｄ  Ｄｅｓｉｇｎ）ソフト等で作成した所定のデータに対し、複数のユーザがレビューし合う場合、汎用的なメーラーを用いて電子メールのやりとりをする方法が採用されている。
【０００３】
しかしながら、上記のような方法は、上記複数のユーザが全て、上記所定のデータに対応するアプリケーションプログラムを所有しておかなければならず、一人でもそのアプリケーションプログラムを所有していなければ、上記のような方法を採用することができないという問題があった。
【０００４】
そこで、上記のような問題を解決すべく、特許文献１に記載のような方法が提案されている。
【先行技術文献】
【特許文献】
【０００５】
【特許文献１】特開２００３−３０８０６５号公報
【発明の概要】
【発明が解決しようとする課題】
【０００６】
上記の方法は、複数のユーザが上記所定のデータに対応するアプリケーションプログラムを所有していなくともレビューし合うことができるというものである。
【０００７】
しかしながら、上記の方法は、あるユーザが所定のデータに対しレビューすると、そのレビューされた所定のデータを複数のユーザが使用しているユーザ端末それぞれに対して同期させなければならず作業性が非常に悪くなるといった問題があった。
【０００８】
そこで本発明は、上記問題に鑑み、複数のユーザが所定のデータに対応するアプリケーションプログラムを所有していなくともレビューし合うことができると共に、作業性を向上させることができるレビュー方法を提供することを目的としている。
【課題を解決するための手段】
【０００９】
上記課題を解決するための手段は、以下の手段によって達成される。なお、括弧内は、後述する実施形態の参照符号を付したものであるが、本発明はこれに限定されるものではない。
【００１０】
請求項１に係るレビュー方法は、複数のユーザ端末（２）とサーバ（レビューサーバ１）とがネットワーク（Ｎ）を介して接続されてなるレビュー方法であって、
ユーザが前記ユーザ端末（２）を用いて所定のデータを前記サーバ（レビューサーバ１）にアップロードするステップ（ステップＳ４）と、
前記ユーザ端末（２）のＷｅｂブラウザーで使用可能なプログラムを前記サーバ（レビューサーバ１）から前記ユーザ端末（２）にダウンロードするステップ（ステップＳ３）と、
前記ユーザ端末（２）のＷｅｂブラウザー上で、前記アップロードされた前記所定のデータに対し、前記ユーザ又は他のユーザが前記ユーザ端末（２）を用いて所定の書き込みを行う際、該ユーザ端末（２）が前記プログラムに基づいて書き込み用レイヤー（第２レイヤーＲ２〜第５レイヤーＲ５）を生成するステップ（ステップＳ９）と、
前記書き込み用レイヤー（第２レイヤーＲ２〜第５レイヤーＲ５）を前記所定のデータに重ね合わせた画面データを前記ユーザ端末（２）のＷｅｂブラウザーに表示させるステップ（ステップＳ１０）と、を含んでなることを特徴としている。
【００１１】
また、請求項２に係るレビュー方法は、上記請求項１に記載のレビュー方法において、前記ユーザ又は他のユーザが前記ユーザ端末（２）を用いて、前記所定の書き込みがされた書き込み用レイヤー（第２レイヤーＲ２〜第５レイヤーＲ５）に関連付けたコメントが可能なように、該ユーザ端末（２）が前記プログラムに基づいてコメント欄（図３に示す画像Ｐ１Ｃａ〜Ｐ１Ｃｄ参照）を生成するステップ（ステップＳ１１）をさらに含んでなることを特徴としている。
【００１２】
さらに、請求項３に係るレビュー方法は、上記請求項１又は２に記載のレビュー方法において、前記書き込み用レイヤー（例えば、第２レイヤーＲ２）に前記所定の書き込みをした後、新たに、前記ユーザ又は他のユーザが前記ユーザ端末（２）を用いて、新たな書き込みを行う際、該ユーザ端末（２）が前記プログラムに基づいて新たな書き込み用レイヤー（例えば、第３レイヤーＲ３）を生成するステップ（ステップＳ９）をさらに含んでなることを特徴としている。
【００１３】
そしてさらに、請求項４に係るレビュー方法は、上記請求項１〜３の何れか１項に記載のレビュー方法において、前記サーバ（レビューサーバ１）が前記所定のデータを前記ユーザ端末（２）のＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換し、該変換した画像データ（例えば、ＰＮＧ（Ｐｏｒｔａｂｌｅ  Ｎｅｔｗｏｒｋ  Ｇｒａｐｈｉｃｓ）画像データ）に前記書き込み用レイヤー（第２レイヤーＲ２〜第５レイヤーＲ５）を重ね合わせた画面データを前記ユーザ端末（２）のＷｅｂブラウザーに表示させるステップ（ステップＳ５、ステップＳ９）をさらに含んでなることを特徴としている。
【００１４】
またさらに、請求項５に係るレビュー方法は、上記請求項１〜４の何れか１項に記載のレビュー方法において、前記サーバ（レビューサーバ１）が前記所定のデータに対し、前記ユーザ又は他のユーザが前記ユーザ端末（２）を用いて所定の書き込みが行われた時間軸上に沿って、該所定の書き込み内容を一覧にした画面データを前記ユーザ端末（２）のＷｅｂブラウザーに表示させるステップ（ステップＳ５）をさらに含んでなることを特徴としている。
【００１５】
一方、請求項６に係るレビュー方法は、複数のユーザ端末（２）とサーバ（レビューサーバ１）とがネットワーク（Ｎ）を介して接続されてなるレビュー方法であって、
ユーザが前記ユーザ端末（２）を用いて所定のデータを前記サーバ（レビューサーバ１）にアップロードするステップ（ステップＳ３）と、
前記アップロードされた前記所定のデータに対し、前記ユーザ又は他のユーザが前記ユーザ端末（２）を用いて所定の書き込みを行う際、前記サーバ（レビューサーバ１）が書き込み用レイヤー（第２レイヤーＲ２〜第５レイヤーＲ５）を生成するステップ（ステップＳ９（ただし、レビューサーバ１で処理した場合））と、
前記サーバ（レビューサーバ１）が前記書き込み用レイヤー（第２レイヤーＲ２〜第５レイヤーＲ５）を前記所定のデータに重ね合わせた画面データを前記ユーザ端末（２）のＷｅｂブラウザーに表示させるステップ（ステップＳ１０）と、を含んでなることを特徴としている。
【００１６】
また、請求項７に係るレビュー方法は、上記請求項６に記載のレビュー方法において、前記ユーザ又は他のユーザが前記ユーザ端末（２）を用いて、前記所定の書き込みがされた書き込み用レイヤー（第２レイヤーＲ２〜第５レイヤーＲ５）に関連付けたコメントが可能なように、前記サーバ（レビューサーバ１）がコメント欄（図３に示す画像Ｐ１Ｃａ〜Ｐ１Ｃｄ参照）を生成するステップ（ステップＳ１１（ただし、レビューサーバ１で処理した場合））をさらに含んでなることを特徴としている。
【００１７】
さらに、請求項８に係るレビュー方法は、上記請求項６又は７に記載のレビュー方法において、前記サーバ（レビューサーバ１）が生成した書き込み用レイヤー（例えば、第２レイヤーＲ２）に前記所定の書き込みをした後、新たに、前記ユーザ又は他のユーザが前記ユーザ端末（２）を用いて、新たな書き込みを行う際、前記サーバ（レビューサーバ１）が新たな書き込み用レイヤー（例えば、第３レイヤーＲ３）を生成するステップ（ステップＳ９（ただし、レビューサーバ１で処理した場合））をさらに含んでなることを特徴としている。
【００１８】
そしてさらに、請求項９係るレビュー方法は、上記請求項６〜８の何れか１項に記載のレビュー方法において、前記サーバ（レビューサーバ１）が前記所定のデータを前記ユーザ端末（２）のＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換し、該変換した画像データ（例えば、ＰＮＧ（Ｐｏｒｔａｂｌｅ  Ｎｅｔｗｏｒｋ  Ｇｒａｐｈｉｃｓ）画像データ）に前記書き込み用レイヤー（第２レイヤーＲ２〜第５レイヤーＲ５）を重ね合わせた画面データを前記ユーザ端末（２）のＷｅｂブラウザーに表示させるステップ（ステップＳ５、ステップＳ９（ただし、レビューサーバ１で処理した場合））をさらに含んでなることを特徴としている。
【００１９】
またさらに、請求項１０に係るレビュー方法は、上記請求項６〜９の何れか１項に記載のレビュー方法において、前記サーバ（レビューサーバ１）が前記所定のデータに対し、前記ユーザ又は他のユーザが前記ユーザ端末（２）を用いて所定の書き込みが行われた時間軸上に沿って、該所定の書き込み内容を一覧にした画面データを前記ユーザ端末（２）のＷｅｂブラウザーに表示させるステップ（ステップＳ５）をさらに含んでなることを特徴としている。
【発明の効果】
【００２０】
次に、本発明の効果について、図面の参照符号を付して説明する。なお、括弧内は、後述する実施形態の参照符号を付したものであるが、本発明はこれに限定されるものではない。
【００２１】
請求項１に係る発明によれば、ユーザがユーザ端末（２）を用いて所定のデータをサーバ（レビューサーバ１）にアップロードし、そのアップロードされた所定のデータに対し、前記ユーザ又は他のユーザがユーザ端末（２）を用いて所定の書き込みを行う際、Ｗｅｂブラウザーにて使用可能なプログラムに基づいてユーザ端末２が書き込み用レイヤー（第２レイヤーＲ２〜第５レイヤーＲ５）を生成し、その生成した書き込み用レイヤー（第２レイヤーＲ２〜第５レイヤーＲ５）を所定のデータに重ね合わせた画面データをユーザ端末（２）のＷｅｂブラウザーに表示させているから、複数のユーザが所定のデータに対応するアプリケーションプログラムを所有していなくともレビューし合うことができると共に、従来のように、複数のユーザが使用しているユーザ端末（２）それぞれに対して同期させる必要がないため、作業性を向上させることができる。
【００２２】
また、請求項２に係る発明によれば、ユーザ又は他のユーザがユーザ端末（２）を用いて、前記所定の書き込みがされた書き込み用レイヤー（第２レイヤーＲ２〜第５レイヤーＲ５）に関連付けたコメントが可能なように、Ｗｅｂブラウザーにて使用可能なプログラムに基づいてユーザ端末２がコメント欄（図３に示す画像Ｐ１Ｃａ〜Ｐ１Ｃｄ参照）を生成しているから、書き込み用レイヤーに書き込まれた内容の意図するところが明確となる。
【００２３】
さらに、請求項３に係る発明によれば、Ｗｅｂブラウザーにて使用可能なプログラムに基づいてユーザ端末２が生成した書き込み用レイヤー（例えば、第２レイヤーＲ２）に所定の書き込みをした後、新たに、ユーザ又は他のユーザがユーザ端末（２）を用いて、新たな書き込みを行う際、Ｗｅｂブラウザーにて使用可能なプログラムに基づいてユーザ端末２が新たな書き込み用レイヤー（例えば、第３レイヤーＲ３）を生成しているから、所定の書き込み内容毎の管理が容易となる。
【００２４】
そしてさらに、請求項４に係る発明によれば、サーバ（レビューサーバ１）が所定のデータをユーザ端末（２）のＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換し、該変換した画像データ（例えば、ＰＮＧ（Ｐｏｒｔａｂｌｅ  Ｎｅｔｗｏｒｋ  Ｇｒａｐｈｉｃｓ）画像データ）に書き込み用レイヤー（第２レイヤーＲ２〜第５レイヤーＲ５）を重ね合わせた画面データをユーザ端末（２）のＷｅｂブラウザーに表示させているから、ユーザにストレスを感じさせることなく、ユーザ端末（２）のＷｅｂブラウザーに画面データを表示させることができる。
【００２５】
またさらに、請求項５に係る発明によれば、サーバ（レビューサーバ１）が所定のデータに対し、ユーザ又は他のユーザがユーザ端末（２）を用いて所定の書き込みが行われた時間軸上に沿って、該所定の書き込み内容を一覧にした画面データをユーザ端末（２）のＷｅｂブラウザーに表示させているから、現在までの書き込み内容の経緯が一目で確認できることとなり、もって、作業効率が向上することとなる。
【００２６】
一方、請求項６に係る発明によれば、ユーザがユーザ端末（２）を用いて所定のデータをサーバ（レビューサーバ１）にアップロードし、そのアップロードされた所定のデータに対し、前記ユーザ又は他のユーザがユーザ端末（２）を用いて所定の書き込みを行う際、サーバ（レビューサーバ１）が書き込み用レイヤー（第２レイヤーＲ２〜第５レイヤーＲ５）を生成し、その生成した書き込み用レイヤー（第２レイヤーＲ２〜第５レイヤーＲ５）を所定のデータに重ね合わせた画面データをユーザ端末（２）のＷｅｂブラウザーに表示させているから、複数のユーザが所定のデータに対応するアプリケーションプログラムを所有していなくともレビューし合うことができると共に、従来のように、複数のユーザが使用しているユーザ端末（２）それぞれに対して同期させる必要がないため、作業性を向上させることができる。しかして、請求項６に係る発明は、請求項１に係る発明と同様の作用効果を生じさせることができる。
【００２７】
また、請求項７に係る発明によれば、ユーザ又は他のユーザがユーザ端末（２）を用いて、前記所定の書き込みがされた書き込み用レイヤー（第２レイヤーＲ２〜第５レイヤーＲ５）に関連付けたコメントが可能なように、サーバ（レビューサーバ１）がコメント欄（図３に示す画像Ｐ１Ｃａ〜Ｐ１Ｃｄ参照）を生成しているから、書き込み用レイヤーに書き込まれた内容の意図するところが明確となる。
【００２８】
さらに、請求項８に係る発明によれば、サーバ（レビューサーバ１）が生成した書き込み用レイヤー（例えば、第２レイヤーＲ２）に所定の書き込みをした後、新たに、ユーザ又は他のユーザがユーザ端末（２）を用いて、新たな書き込みを行う際、サーバ（レビューサーバ１）が新たな書き込み用レイヤー（例えば、第３レイヤーＲ３）を生成しているから、所定の書き込み内容毎の管理が容易となる。
【００２９】
そしてさらに、請求項９に係る発明によれば、サーバ（レビューサーバ１）が所定のデータをユーザ端末（２）のＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換し、該変換した画像データ（例えば、ＰＮＧ（Ｐｏｒｔａｂｌｅ  Ｎｅｔｗｏｒｋ  Ｇｒａｐｈｉｃｓ）画像データ）に書き込み用レイヤー（第２レイヤーＲ２〜第５レイヤーＲ５）を重ね合わせた画面データをユーザ端末（２）のＷｅｂブラウザーに表示させているから、ユーザにストレスを感じさせることなく、ユーザ端末（２）のＷｅｂブラウザーに画面データを表示させることができる。
【００３０】
またさらに、請求項１０に係る発明によれば、サーバ（レビューサーバ１）が所定のデータに対し、ユーザ又は他のユーザがユーザ端末（２）を用いて所定の書き込みが行われた時間軸上に沿って、該所定の書き込み内容を一覧にした画面データをユーザ端末（２）のＷｅｂブラウザーに表示させているから、現在までの書き込み内容の経緯が一目で確認できることとなり、もって、作業効率が向上することとなる。
【図面の簡単な説明】
【００３１】
【図１】本発明に係るレビューシステムの一実施形態を示す全体図である。
【図２】同実施形態に係るレビューサーバの概念ブロック図である。
【図３】同実施形態に係るレビューシステムを用いて、所定のデータに対してユーザが書き込みやコメントを行う画面例を示す図である。
【図４】図３に示す画像Ｐ１Ａを生成するにあたって、複数のレイヤーが重ね合わされていることを説明するための斜視図である。
【図５】同実施形態に係るレビューシステムを用いて、所定のデータに対してユーザが書き込みやコメントを行った内容をタイムライン表示している画面例を示す図である。
【図６】同実施形態に係るレビュー内容データベースに格納されているテーブルを示す図である。
【図７】同実施形態に係るレビューシステムの一使用例を説明するフローチャート図である。
【発明を実施するための形態】
【００３２】
以下、本発明に係るレビュー方法に関するレビューシステムの一実施形態について、図面を参照して具体的に説明する。レビューシステムは、図１に示すように、レビューサーバ１と、ユーザが使用するユーザ端末２とがネットワークＮを介して接続されている。このユーザ端末２は、ＰＣ（Ｐｅｒｓｏｎａｌ  Ｃｏｍｐｕｔｅｒ）やｉｐｈｏｎｅ（登録商標）等のスマートフォンや携帯電話、ＰＤＡ（Ｐｅｒｓｏｎａｌ  Ｄｉｇｉｔａｌ  Ａｓｓｉｓｔａｎｃｅ）等で構成されてなるもので、ＣＰＵ２０と、マウスやキーボード、タッチパネル、或いは、ＵＳＢコネクタ、Ｌｉｇｈｔｎｉｎｇコネクタ等を用いて外部から所定データをユーザ端末２に入力することができる入力部２１と、所定のプログラム等を格納した書き込み可能なフラッシュＲＯＭ等からなるＲＯＭ２２と、作業領域やバッファメモリ等として機能するＲＡＭ２３と、種々の画像を表示可能な表示部２４と、無線ＬＡＮ，有線ＬＡＮ，ダイヤルアップ等の通信手段でネットワークＮに接続が可能な通信部２５とで構成されている。
【００３３】
一方、レビューサーバ１は、図２に示すように、ＣＰＵ等からなる中央制御部１０と、ユーザ端末２（図１参照）の表示部２４（図１参照）に表示されるＷｅｂブラウザーにて使用可能なプログラムが格納されているＷｅｂブラウザー用プログラム格納部１１と、レビュー内容データベース１２と、ユーザ端末２（図１参照）の表示部２４（図１参照）に表示されるＷｅｂブラウザーに表示させる画面データを生成する画面データ生成部１３と、所定日時を計時するために汎用的に利用される計時タイマ１４と、無線ＬＡＮ，有線ＬＡＮ，ダイヤルアップ等の通信手段でネットワークＮに接続が可能な通信部１５とで構成されている。
【００３４】
Ｗｅｂブラウザー用プログラム格納部１１は、ユーザ端末２（図１参照）の表示部２４（図１参照）に表示されるＷｅｂブラウザーにて使用可能なプログラムが格納されており、ユーザ端末２（図１参照）がネットワークＮ（図１参照）を介してレビューサーバ１（図１参照）にアクセスした際、このプログラムがネットワークＮ（図１参照）を介してユーザ端末２（図１参照）にダウンロードされ、ユーザ端末２（図１参照）のＲＡＭ２３（図１参照）内に一時的に記憶されることとなる。そして、ユーザがユーザ端末２（図１参照）の入力部２１（図１参照）を用いてアップロードされた所定のデータに対しＷｅｂブラウザー上で何らかの書き込み（所定の書き込み）をしようとした際、ユーザ端末２（図１参照）のＣＰＵ２０（図１参照）がユーザ端末２（図１参照）のＲＡＭ２３（図１参照）内に一時的に記憶されているプログラムを起動し、このプログラムに基づいて、ユーザ端末２（図１参照）のＣＰＵ２０（図１参照）がアップロードされた所定のデータ上に書き込み用レイヤー（例えば、透明なレイヤー）を生成することとなる。
【００３５】
この点、図３，図４を参照して具体的に説明すると、図３に示す画像Ｐ１Ａは、アップロードされた所定のデータ（図示では、鉛筆と本を持ったタヌキの画像（画像Ｐ１Ａａ参照））に対し、ユーザがユーザ端末２（図１参照）の入力部２１（図１参照）を用いて、尻尾の所に「０１」と書かれた枠画像（画像Ｐ１Ａｂ参照）、首元の所に「０２」と書かれた枠画像（画像Ｐ１Ａｃ参照）、鉛筆の所に「０３」と書かれた矢印画像（画像Ｐ１Ａｄ参照）、足元の所に「０４」と書かれたなみなみ画像（画像Ｐ１Ａｅ参照）で構成されているものである。すなわち、この画像Ｐ１Ａは、図４に示すように、アップロードされた所定のデータ（図示では、鉛筆と本を持ったタヌキの画像（画像Ｐ１Ａａ参照））の第１レイヤーＲ１上に、「０１」と書かれた枠画像（画像Ｐ１Ａｂ参照）の第２レイヤーＲ２が重ね合わされ、第２レイヤーＲ２上に、「０２」と書かれた枠画像（画像Ｐ１Ａｃ参照）の第３レイヤーＲ３が重ね合わされ、第３レイヤーＲ３上に、「０３」と書かれた矢印画像（画像Ｐ１Ａｄ参照）の第４レイヤーＲ４が重ね合わされ、第４レイヤーＲ４上に、「０４」と書かれたなみなみ画像（画像Ｐ１Ａｅ参照）の第５レイヤーＲ５が重ね合わされたものである。この第１レイヤーＲ１は、ユーザがユーザ端末２（図１参照）の入力部２１（図１参照）を用いてアップロードされた所定のデータであり、第２レイヤーＲ２〜第５レイヤーＲ５は、この所定のデータに対して、ユーザがユーザ端末２（図１参照）の入力部２１（図１参照）を用いてＷｅｂブラウザー上で何らかの書き込み（所定の書き込み）をしようとした際、ユーザ端末２（図１参照）のＣＰＵ２０（図１参照）にて生成される書き込み用レイヤー（例えば、透明なレイヤー）である。すなわち、アップロードされた所定のデータ（図示では、鉛筆と本を持ったタヌキの画像（画像Ｐ１Ａａ参照））の第１レイヤーＲ１（図４参照）上に、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて尻尾の所に何らかの書き込み（所定の書き込み）をしようとすると、ユーザ端末２（図１参照）のＣＰＵ２０（図１参照）にて、第１レイヤーＲ１（図４参照）上に、第１レイヤーＲ１の鉛筆と本を持ったタヌキの画像（画像Ｐ１Ａａ参照）が視認できるように、透明な第２レイヤーＲ２（図４参照）が生成される。そして、その第２レイヤーＲ２に対して、ユーザがユーザ端末２（図１参照）の入力部２１（図１参照）を用いて、Ｗｅｂブラウザー上で、何らかの書き込み（所定の書き込み）（図示では、「０１」と書かれた枠画像（画像Ｐ１Ａｂ参照））が可能となる。さらに、第１レイヤーＲ１の鉛筆と本を持ったタヌキの画像（画像Ｐ１Ａａ参照）に対して、新たに、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて首元の所に何らかの書き込み（所定の書き込み）をしようとすると、ユーザ端末２（図１参照）のＣＰＵ２０（図１参照）にて、第２レイヤーＲ２（図４参照）上に、第１レイヤーＲ１（図４参照）の鉛筆と本を持ったタヌキの画像（画像Ｐ１Ａａ参照）及び第２レイヤーＲ２（図４参照）の「０１」と書かれた枠画像（画像Ｐ１Ａｂ参照）が視認できるように、透明な第３レイヤーＲ３（図４参照）が生成される。そして、その第３レイヤーＲ３に対して、ユーザがユーザ端末２（図１参照）の入力部２１（図１参照）を用いて、Ｗｅｂブラウザー上で、何らかの書き込み（所定の書き込み）（図示では、「０２」と書かれた枠画像（画像Ｐ１Ａｃ参照））が可能となる。そしてさらに、第１レイヤーＲ１の鉛筆と本を持ったタヌキの画像（画像Ｐ１Ａａ参照）に対して、新たに、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて鉛筆の所に何らかの書き込み（所定の書き込み）をしようとすると、ユーザ端末２（図１参照）のＣＰＵ２０（図１参照）にて、第３レイヤーＲ３（図４参照）上に、第１レイヤーＲ１（図４参照）の鉛筆と本を持ったタヌキの画像（画像Ｐ１Ａａ参照）及び第２レイヤーＲ２（図４参照）の「０１」と書かれた枠画像（画像Ｐ１Ａｂ参照）並びに第３レイヤーＲ３（図４参照）の「０２」と書かれた枠画像（画像Ｐ１Ａｃ参照）が視認できるように、透明な第４レイヤーＲ４（図４参照）が生成される。そして、その第４レイヤーＲ４に対して、ユーザがユーザ端末２（図１参照）の入力部２１（図１参照）を用いて、Ｗｅｂブラウザー上で、何らかの書き込み（所定の書き込み）（図示では、「０３」と書かれた矢印画像（画像Ｐ１Ａｄ参照））が可能となる。またさらに、第１レイヤーＲ１の鉛筆と本を持ったタヌキの画像（画像Ｐ１Ａａ参照）に対して、新たに、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて鉛筆の所に何らかの書き込み（所定の書き込み）をしようとすると、ユーザ端末２（図１参照）のＣＰＵ２０（図１参照）にて、第４レイヤーＲ４（図４参照）上に、第１レイヤーＲ１（図４参照）の鉛筆と本を持ったタヌキの画像（画像Ｐ１Ａａ参照）及び第２レイヤーＲ２（図４参照）の「０１」と書かれた枠画像（画像Ｐ１Ａｂ参照）及び第３レイヤーＲ３（図４参照）の「０２」と書かれた枠画像（画像Ｐ１Ａｃ参照）並びに第４レイヤーＲ４（図４参照）の「０３」と書かれた矢印画像（画像Ｐ１Ａｄ参照）が視認できるように、透明な第５レイヤーＲ５（図４参照）が生成される。そして、その第５レイヤーＲ５に対して、ユーザがユーザ端末２（図１参照）の入力部２１（図１参照）を用いて、Ｗｅｂブラウザー上で、何らかの書き込み（所定の書き込み）（図示では、「０４」と書かれたなみなみ画像（画像Ｐ１Ａｅ参照））が可能となる。
【００３６】
しかして、このように、新たに、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて何らかの書き込み（所定の書き込み）をしようとする度に透明なレイヤー（書き込み用レイヤー）を生成するようにすれば、書き込み（所定の書き込み）内容毎の管理が容易となる。
【００３７】
一方、ユーザ端末２（図１参照）のＲＡＭ２３（図１参照）内に一時的に記憶されているプログラムが起動し、ユーザ端末２（図１参照）のＣＰＵ２０（図１参照）にて書き込み用レイヤー（例えば、透明なレイヤー）が生成されるとそれに付随してコメント欄が生成されることとなる。すなわち、アップロードされた所定のデータ（図示では、鉛筆と本を持ったタヌキの画像（画像Ｐ１Ａａ参照）の第１レイヤーＲ１（図４参照）上に、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて尻尾の所に何らかの書き込み（所定の書き込み）をしようとすると、ユーザ端末２（図１参照）のＣＰＵ２０（図１参照）にて、第１レイヤーＲ１（図４参照）上に、第１レイヤーＲ１の鉛筆と本を持ったタヌキの画像（画像Ｐ１Ａａ参照）が視認できるように、透明な第２レイヤーＲ２（図４参照）が生成され、それに伴い、図３に示す図示右に位置するコメント欄（画像Ｐ１Ｃａ参照）を生成される。これにより、ユーザは、ユーザ端末２（図１参照）の入力部２１（図１参照）を用いて、Ｗｅｂブラウザー上で、図３に示す画像Ｐ１Ｃａに示すようなコメント（図示では、「しっぽにロゴのパターンを入れてください」）を書き込むことが可能となる。さらに、ユーザ端末２（図１参照）のＣＰＵ２０（図１参照）にて透明な第３レイヤーＲ３（図４参照）が生成されると、それに伴い、図３に示す図示右に位置するコメント欄（画像Ｐ１Ｃｂ参照）が生成される。これにより、ユーザは、ユーザ端末２（図１参照）の入力部２１（図１参照）を用いて、Ｗｅｂブラウザー上で、図３に示す画像Ｐ１Ｃｂに示すようなコメント（図示では、「首元が寂しいので、ネクタイをつけてください」）を書き込むことが可能となる。そしてさらに、ユーザ端末２（図１参照）のＣＰＵ２０（図１参照）にて透明な第４レイヤーＲ４（図４参照）が生成されると、それに伴い、図３に示す図示右に位置するコメント欄（画像Ｐ１Ｃｃ参照）が生成される。これにより、ユーザは、ユーザ端末２（図１参照）の入力部２１（図１参照）を用いて、Ｗｅｂブラウザー上で、図３に示す画像Ｐ１Ｃｃに示すようなコメント（図示では、「鉛筆の色が違います。ブランドカラーと合せてください。」）を書き込むことが可能となる。またさらに、ユーザ端末２（図１参照）のＣＰＵ２０（図１参照）にて透明な第５レイヤーＲ５（図４参照）が生成されると、それに伴い、図３に示す図示右に位置するコメント欄（画像Ｐ１Ｃｄ参照）が生成される。これにより、ユーザは、ユーザ端末２（図１参照）の入力部２１（図１参照）を用いて、Ｗｅｂブラウザー上で、図３に示す画像Ｐ１Ｃｄに示す空欄にコメントを書き込むことが可能となる。なお、ユーザ端末２（図１参照）の入力部２１（図１参照）を用いて作成したコメントを確定させるには、図３に示す「入力」（画像Ｐ１Ｃｄ１参照）をユーザ端末２（図１参照）の入力部２１（図１参照）を用いて選択することとなる。
【００３８】
しかして、このように、ユーザ端末２（図１参照）のＣＰＵ２０（図１参照）にて生成された書き込み用レイヤー（例えば、透明なレイヤー）に付随してコメント欄を生成するようにすれば、書き込み用レイヤー（例えば、透明なレイヤー）に書き込まれた内容の意図するところが明確となる。また、ユーザ端末２（図１参照）のＣＰＵ２０（図１参照）にて生成された書き込み用レイヤー（例えば、透明なレイヤー）に付随してコメント欄を生成するため、新たに、ユーザがユーザ端末２（図１参照）の入力部２１（図１参照）を用いて、Ｗｅｂブラウザー上で、図３に示す図示左に位置する書き込みツール（画像Ｐ１Ｂ参照）を選択し、その選択した内容にて何らかの書き込み（所定の書き込み）をしようとする度に透明なレイヤー（書き込み用レイヤー）を生成するようにすれば、コメントの管理も容易となる。
【００３９】
レビュー内容データベース１２は、図６に示すテーブルＴＢＬが格納されている。より具体的に説明すると、このテーブルＴＢＬには、プロジェクト（図示では、プロジェクトＡ，プロジェクトＢ）が記憶されている（ＴＢ１参照）。そして、この各プロジェクトに対してアップロードされた所定のデータ（図示では、画像データＡ、画像データＢ）が記憶されている（ＴＢ２参照）。そしてさらに、このアップロードされた所定のデータ（図示では、画像データＡ（例えば、図３，図４に示す画像Ｐ１Ａａ参照））に対する書き込み内容、すなわち、ユーザ端末２（図１参照）のＣＰＵ２０（図１参照）にて生成された書き込み用レイヤー（例えば、透明なレイヤー）に書き込まれた内容の座標データ（図示では、Ｘ：２０、Ｙ：３０・・・・（例えば、図３，図４に示す画像Ｐ１Ａｂ参照）、Ｘ：３０、Ｙ：２０・・・・（例えば、図３，図４に示す画像Ｐ１Ａｃ参照）、Ｘ：５０、Ｙ：２０・・・・（例えば、図３，図４に示す画像Ｐ１Ａｄ参照）、Ｘ：３０、Ｙ：１０・・・・（例えば、図３，図４に示す画像Ｐ１Ａｅ参照）、画像データＢに対する書き込み内容、すなわち、ユーザ端末２（図１参照）のＣＰＵ２０（図１参照）にて生成された書き込み用レイヤー（例えば、透明なレイヤー）に書き込まれた内容の座標データ（図示では、Ｘ：６０、Ｙ：２０・・・・））が記憶されている（ＴＢ３参照）。またさらに、ユーザ端末２（図１参照）のＣＰＵ２０（図１参照）にて生成されたコメント欄に書き込まれたコメント（図示では、「しっぽにロゴのパターンを入れてください」（例えば、図４に示す画像Ｐ１Ｃａ参照）、「首元が寂しいので、ネクタイをつけてください」（例えば、図４に示す画像Ｐ１Ｃｂ参照）、「鉛筆の色が違います。ブランドカラーと合せてください。」（例えば、図４に示す画像Ｐ１Ｃｃ参照）、「・・・・・・」、「色を赤にしてください」）が記憶されている（ＴＢ４参照）。そして、これらが記憶された日時が記憶されている（ＴＢ５参照）。なお、この日時は、計時タイマ１４（図２参照）にて計時された日時を取得したものである。
【００４０】
画面データ生成部１３は、ユーザ端末２（図１参照）の表示部２４（図１参照）に表示されるＷｅｂブラウザーに表示させる画面データを生成するものである。すなわち、例えば、図３に示す画像Ｐ１、図５に示す画像Ｐ２をユーザ端末２（図１参照）の表示部２４（図１参照）に表示されるＷｅｂブラウザーに表示させる画面データとして生成するものである。具体的に説明すると、所定のプロジェクト（例えば、図６に示す、プロジェクトＡ，プロジェクトＢ（ＴＢ１参照））に参加しているユーザがユーザ端末２（図１参照）の入力部２１（図１参照）を用いて所定のデータ（図４に示す鉛筆と本を持ったタヌキの画像（画像Ｐ１Ａａ参照））をアップロードすると、その画像をＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換し（図４に示す第１レイヤーＲ１）、その変換した画像データに対して書き込みがされていた際、ユーザ端末２（図１参照）のＣＰＵ２０（図１参照）にて生成された書き込み用レイヤー（図４に示す第２レイヤーＲ２〜第５レイヤーＲ５）毎に、レビュー内容データベース１２に格納されているテーブルＴＢＬの座標データ（ＴＢ２参照）に基づいて書き込み内容が再現され、もって、図３に示す画像Ｐ１Ａが生成されることとなる。そして、その画像Ｐ１Ａに、画像Ｐ１Ｂと画像Ｐ１Ｃａ〜Ｐ１Ｃｄと画像Ｐ１Ｄが付加され図３に示す画像Ｐ１としてユーザ端末２（図１参照）の表示部２４（図１参照）に表示されるＷｅｂブラウザーに表示させる画面データとして生成されることとなる。
【００４１】
一方、図５に示す画像Ｐ２は、所定のプロジェクト（例えば、図６に示す、プロジェクトＡ，プロジェクトＢ（ＴＢ１参照））に対してアップロードされた所定のデータやコメント等の批評や評価或いは指示等のレビュー内容の経緯をタイムライン表示、すなわち、時間軸上に沿って表示された画像である。すなわち、図５に示す画像Ｐ２は、ユーザがユーザ端末２（図１参照）の入力部２１（図１参照）を用いてアップロードされた最新の画像（画像Ｐ２ａ参照）と、アップロードされた所定のデータの一覧が表示された画像（画像Ｐ２ｂ参照）と、アップロードされた所定のデータに対するコメント等がタイムライン表示、すなわち、レビュー内容データベース１２に格納されているテーブルＴＢＬの日時（ＴＢ５参照）順に、時間軸上に沿って表示された画像（画像Ｐ２ｃ参照）と、ユーザがユーザ端末２（図１参照）の入力部２１（図１参照）を用いて所定のデータをアップロードするための画像（画像Ｐ２ｄ参照）と、所定のデータをアップロードする際にユーザがユーザ端末２（図１参照）の入力部２１（図１参照）を用いてコメントを記載可能な画像（画像Ｐ２ｅ参照）と、所定のプロジェクト（例えば、図６に示す、プロジェクトＡ，プロジェクトＢ（ＴＢ１参照））に参加しているユーザのアイコン画像（画像Ｐ２ｆ参照）とで構成されている。そして、この図５に示す画像Ｐ２は、画面データ生成部１３にて、ユーザ端末２（図１参照）の表示部２４（図１参照）に表示されるＷｅｂブラウザーに表示させる画面データとして生成されることとなる。なお、図５に示す画像Ｐ２の「レビューする」（画像Ｐ２ｃａ参照）を所定のデータをアップロードしたユーザ又は他のユーザがユーザ端末２（図１参照）の入力部２１（図１参照）を用いて選択すると、図３に示す画像Ｐ１がユーザ端末２（図１参照）の表示部２４（図１参照）に表示されるＷｅｂブラウザーに表示されることとなる。これにより、所定のプロジェクトに参加している様々なユーザがアップロードされた所定のデータに対する書き込みやコメントができることとなる。
【００４２】
しかして、このように、所定のプロジェクト（例えば、図６に示す、プロジェクトＡ，プロジェクトＢ（ＴＢ１参照））に対して、アップロードされた所定のデータやコメント等の批評や評価或いは指示等のレビュー内容の経緯をタイムライン表示、すなわち、時間軸上に沿って表示させることにより、所定のプロジェクトに対する現在までの経緯が一目で確認できることとなる。これにより、作業効率が向上することとなる。
【００４３】
なお、アップロードされた所定のデータがＷＯＲＤ（登録商標）や、ＥＸＣＥＬ（登録商標）等、複数頁に亘る場合は、頁毎にＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換されることとなる。
【００４４】
＜レビューシステム使用例＞
ここで、上記説明したレビューシステムの一使用例を図７のフローチャート図も参照して説明する。
【００４５】
まず、ユーザが図１に示すユーザ端末２を用いてネットワークＮを介してレビューサーバ１に接続すると、図２に示す中央制御部１０は、ユーザ端末２（図１参照）の表示部２４（図１参照）に表示されるＷｅｂブラウザーにログイン画面を表示させる。これにより、ユーザは、ユーザ端末２の入力部２１（図１参照）を用いてレビューサーバ１にログインする。そして、ユーザは、ユーザ端末２の入力部２１（図１参照）を用いて所定のプロジェクト（例えば、図６に示す、プロジェクトＡ，プロジェクトＢ（ＴＢ１参照））に参加する旨の情報をレビューサーバ１に送信する（ステップＳ１）。
【００４６】
これを受けて、レビューサーバ１の中央制御部１０（図２参照）は、ユーザ端末２（図１参照）の表示部２４（図１参照）に表示されるＷｅｂブラウザーに表示させる画面データとして、画面データ生成部１３にて図５に示す画像Ｐ２のような画面データを生成させる（ステップＳ２）。これにより、ユーザ端末２（図１参照）の表示部２４（図１参照）に表示されるＷｅｂブラウザーに図５に示す画像Ｐ２のような画面が表示されることとなる。
【００４７】
次いで、レビューサーバ１の中央制御部１０（図２参照）は、Ｗｅｂブラウザー用プログラム格納部１１（図２参照）に格納されているユーザ端末２（図１参照）の表示部２４（図１参照）に表示されるＷｅｂブラウザーにて使用可能なプログラムを読み出し、ネットワークＮを介して、ユーザ端末２（図１参照）に送信する（ステップＳ３）。これを受けて、ユーザ端末２（図１参照）のＣＰＵ２０（図１参照）は、このプログラムをダウンロードし、ＲＡＭ２３（図１参照）内に一時的に記憶することとなる。
【００４８】
次いで、ユーザは、ユーザ端末２（図１参照）の表示部２４（図１参照）に表示された図５に示す画像Ｐ２ｄの「アップロード」からユーザ端末２（図１参照）の入力部２１（図１参照）を用いて所定のデータをアップロードする。そして、ユーザは、所定のデータをアップロードするにあたりコメントを記載する際、ユーザ端末２に表示された図５に示す画像Ｐ２ｅの「コメント」にてユーザ端末２（図１参照）の入力部２１（図１参照）を用いてコメントを行う（ステップＳ４）。
【００４９】
これを受けて、レビューサーバ１の中央制御部１０（図２参照）は、アップロードされた所定のデータをＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に画面データ生成部１３にて変換させ、その変換させた画像データとコメントの画像をタイムライン表示、すなわち、時間軸上に沿って表示させる画像（図５に示す画像Ｐ２ｃ参照）をユーザ端末２（図１参照）の表示部２４（図１参照）に表示されるＷｅｂブラウザーに表示させる画面データとして、画面データ生成部１３にて生成させる（ステップＳ５）。これにより、ユーザ端末２（図１参照）の表示部２４（図１参照）に表示されるＷｅｂブラウザーに図５に示す画像Ｐ２（画像Ｐ２ｃ）のような画面が表示されることとなる。なお、変換されたＷｅｂブラウザーにより表示可能な画像データは、中央制御部１０（図２参照）にて、図２に示すレビュー内容データベース１２に格納されている図６に示すテーブルＴＢＬのプロジェクトの項目（ＴＢ１参照）に対応するアップロードデータの項目（ＴＢ２参照）に記憶され、コメントは、コメントの項目（ＴＢ４参照）に記憶されることとなる。そして、中央制御部１０（図２参照）は、アップロードされた所定のデータ並びにコメントが記憶された日時を計時タイマ１４から取得し、図６に示すテーブルＴＢＬの日時の項目（ＴＢ５参照）に記憶させることとなる。
【００５０】
しかして、このようにして、所定のプロジェクト（例えば、図６に示す、プロジェクトＡ，プロジェクトＢ（ＴＢ１参照））に対してアップロードされた所定のデータやコメント等の批評や評価或いは指示等のレビュー内容の経緯が、図６に示すテーブルＴＢＬの日時の項目（ＴＢ５参照）に記憶されている日時に基づいて、タイムライン表示、すなわち、時間軸上に沿って表示されることとなる。
【００５１】
次いで、上記所定のデータをアップロードしたユーザ又は他のユーザが、アップロードされた所定のデータに対して批評や評価或いは指示等のレビューをする際、ユーザ端末２（図１参照）の表示部２４（図１参照）に表示されるＷｅｂブラウザーに表示されている図５に示す画像Ｐ２の「レビューする」（画像Ｐ２ｃａ参照）をユーザ端末２（図１参照）の入力部２１（図１参照）を用いて選択する（ステップＳ６）。
【００５２】
これを受けて、レビューサーバ１の中央制御部１０（図２参照）は、上記所定のデータをアップロードしたユーザ又は他のユーザが、アップロードされた所定のデータに対して批評や評価或いは指示等のレビューができるように、図３に示すような画像Ｐ１をユーザ端末２（図１参照）の表示部２４（図１参照）に表示されるＷｅｂブラウザーに表示させる画面データとして、画面データ生成部１３にて生成させる（ステップＳ７）。これにより、ユーザ端末２（図１参照）の表示部２４（図１参照）に表示されるＷｅｂブラウザーに図３に示すような画像Ｐ１の画面が表示されることとなる。
【００５３】
次いで、上記所定のデータをアップロードしたユーザ又は他のユーザが、ユーザ端末２（図１参照）の入力部２１（図１参照）を用いて、Ｗｅｂブラウザー上で、図３に示す図示左に位置する書き込みツール（画像Ｐ１Ｂ参照）を選択し、アップロードされた所定のデータ（本実施形態においては、図３に示す鉛筆と本を持ったタヌキの画像（画像Ｐ１Ａａ参照））に対して（例えば、尻尾の所に対して）、何らかの書き込みを指示、すなわち、書き込みを行おうとする（ステップＳ８）。これを受けて、ユーザ端末２（図１参照）のＣＰＵ２０（図１参照）は、ユーザ端末２（図１参照）のＲＡＭ２３（図１参照）内に一時的に記憶されているプログラムを起動し、このプログラムに基づいて、書き込み用レイヤー（例えば、透明なレイヤー）を生成（本実施形態においては、図４に示す第２レイヤーＲ２）する（ステップＳ９）。これにより、ユーザ端末２（図１参照）の表示部２４（図１参照）に表示されるＷｅｂブラウザーに画像データ（本実施形態においては、図４に示す第１レイヤーＲ１）上に書き込み用レイヤー（例えば、透明なレイヤー）（本実施形態においては、図４に示す第２レイヤーＲ２）を重ね合わせた画像の画面が表示されることとなる。
【００５４】
次いで、上記所定の画像をアップロードしたユーザ又は他のユーザが、ユーザ端末２（図１参照）の入力部２１（図１参照）を用いて、Ｗｅｂブラウザー上で、図３に示す図示左に位置する選択した書き込みツール（画像Ｐ１Ｂ参照）にて、アップロードされた所定のデータ（本実施形態においては、図３に示す鉛筆と本を持ったタヌキの画像（画像Ｐ１Ａａ参照））に対して（例えば、尻尾の所に対して）、何らかの書き込み（本実施形態においては、図３に示す枠画像（画像Ｐ１Ａｂ参照））を行う（ステップＳ１０）。これを受けて、ユーザ端末２（図１参照）のＣＰＵ２０（図１参照）は、ユーザ端末２（図１参照）のＲＡＭ２３（図１参照）内に一時的に記憶されているプログラムに基づいて、コメント欄（本実施形態においては、図３に示す図示右に位置するコメント欄（画像Ｐ１Ｃａ参照））を生成する（ステップＳ１１）。これにより、ユーザ端末２（図１参照）の表示部２４（図１参照）に表示されるＷｅｂブラウザーにコメント欄（本実施形態においては、図３に示す図示右に位置するコメント欄（画像Ｐ１Ｃａ参照））が付加された画像の画面が表示されることとなる。
【００５５】
次いで、上記所定のデータをアップロードしたユーザ又は他のユーザが、ユーザ端末２（図１参照）の入力部２１（図１参照）を用いて、コメントを作成した上で（本実施形態おいては、図３に示す「しっぽにロゴのパターンを入れてください」（画像Ｐ１Ｃａ参照））、「入力」（図３に示す画像Ｐ１Ｃｄ１参照）を選択すると、コメント内容が確定することとなる（ステップＳ１２）。そしてさらに、上記所定のデータをアップロードしたユーザ又は他のユーザが、アップロードされた所定のデータに対して批評や評価或いは指示等のレビューを終える際、ユーザ端末２（図１参照）の入力部２１（図１参照）を用いて、「確定」（図３に示す画像Ｐ１Ｄ参照）を選択する（ステップＳ１３）。これを受けて、レビューサーバ１の中央制御部１０は、図２に示すレビュー内容データベース１２に格納されているプロジェクトの項目（ＴＢ１参照）に対応する書き込み座標データの項目（ＴＢ３参照）に書き込み内容の座標データが記憶され、コメントの項目（ＴＢ４参照）にコメントが記憶されることとなる。そしてさらに、レビューサーバ１の中央制御部１０は、書き込み内容の座標データ並びにコメントが記憶された日時を計時タイマ１５から取得し、図５に示すテーブルＴＢＬの日時の項目（ＴＢ５参照）に記憶させることとなる。
【００５６】
かくして、図３に示すような画像Ｐ１が生成されるにあたっては、上記ステップＳ６〜ステップＳ１４の内容が繰り返し実行されることとなる。これにより、図４に示すように、アップロードされた所定のデータが変換された画像（図示では、鉛筆と本を持ったタヌキの画像（画像Ｐ１Ａａ参照））の第１レイヤーＲ１上に、「０１」と書かれた枠画像（画像Ｐ１Ａｂ参照）の第２レイヤーＲ２が重ね合わされ、第２レイヤーＲ２上に、「０２」と書かれた枠画像（画像Ｐ１Ａｃ参照）の第３レイヤーＲ３が重ね合わされ、第３レイヤーＲ３上に、「０３」と書かれた矢印画像（画像Ｐ１Ａｄ参照）の第４レイヤーＲ４が重ね合わされ、第４レイヤーＲ４上に、「０４」と書かれたなみなみ画像（画像Ｐ１Ａｅ参照）の第５レイヤーＲ５が重ね合わされることにより、図３に示すような画像Ｐ１Ａが生成されることとなる。そしてさらに、第３レイヤーＲ３（図４参照）が生成されるに伴い、図３に示す図示右に位置するコメント欄（画像Ｐ１Ｃｂ参照）が生成され、第４レイヤーＲ４（図４参照）が生成されるに伴い、図３に示す図示右に位置するコメント欄（画像Ｐ１Ｃｃ参照）が生成され、第５レイヤーＲ５（図４参照）が生成されるに伴い、図３に示す図示右に位置するコメント欄（画像Ｐ１Ｃｄ参照）が生成され、もって、図３に示すような画像Ｐ１Ｃが生成されることとなる。
【００５７】
しかして、本実施形態によれば、アップロードされた所定のデータに対し、所定のデータをアップロードしたユーザ又は他のユーザがユーザ端末２を用いて所定の書き込みを行う際、Ｗｅｂブラウザーにて使用可能なプログラムに基づいてユーザ端末２が書き込み用レイヤー（図４に示す第２レイヤーＲ２〜第５レイヤーＲ５）を生成し、その書き込み用レイヤー（図４に示す第２レイヤーＲ２〜第５レイヤーＲ５）をアップロードされた所定のデータに重ね合わせた画面データをユーザ端末２のＷｅｂブラウザーに表示させているから、複数のユーザが所定のデータに対応するアプリケーションプログラムを所有していなくともレビューし合うことができると共に、従来のように、複数のユーザが使用しているユーザ端末２それぞれに対して同期させる必要がないため、作業性を向上させることができる。
【００５８】
なお、本実施形態によれば、所定のデータをアップロードした際、そのデータをＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換する例を示したが、変換せずとも良い。しかしながら、ユーザ端末２のＷｅｂブラウザーに表示させる画面データに適した画像データに変換した方が、ユーザにストレスを感じさせることなく、ユーザ端末２のＷｅｂブラウザーに画面データを表示させることができるため、好ましい。
【００５９】
また、本実施形態においては、図３に示すような画像Ｐ１を生成させるにあたって、ユーザ毎に書き込まれた内容を表示（例えば、Ｘユーザが書き込んだ内容のみ表示、Ｙユーザが書き込んだ内容のみ表示）させるような画像を生成しても良く、全ての書き込み内容を表示させ、図５に示す所定のプロジェクト（例えば、図６に示す、プロジェクトＡ，プロジェクトＢ（ＴＢ１参照））に参加しているユーザのアイコン画像（画像Ｐ２ｆ参照）のようなアイコン画像を設けておき、そのアイコン画像を選択すると、その選択されたアイコン画像に該当するユーザの書き込み内容を表示させるようにしても良い。
【００６０】
さらに、本実施形態において示したアップロードされる所定のデータは、静止画でも動画でも良く、又、ＷＯＲＤ（登録商標）や、ＥＸＣＥＬ（登録商標）等のファイル等どのようなものでも良い。
【００６１】
ところで、本実施形態においては、ユーザ端末２（図１参照）のＲＡＭ２３（図１参照）内に一時的に記憶されているプログラムに基づいて、ユーザ端末２（図１参照）のＣＰＵ２０（図１参照）が書き込み用レイヤー（例えば、透明なレイヤー）及びコメント欄を生成する例を示したが、レビューサーバ１にて書き込み用レイヤー（例えば、透明なレイヤー）及びコメント欄を生成させるようにしても良い。このようにしても、アップロードされた所定のデータに対し、所定のデータをアップロードしたユーザ又は他のユーザがユーザ端末２を用いて所定の書き込みを行う際、レビューサーバ１が書き込み用レイヤー（図４に示す第２レイヤーＲ２〜第５レイヤーＲ５）を生成し、その書き込み用レイヤー（図４に示す第２レイヤーＲ２〜第５レイヤーＲ５）をアップロードされた所定のデータに重ね合わせた画面データをユーザ端末２のＷｅｂブラウザーに表示させているから、複数のユーザが所定のデータに対応するアプリケーションプログラムを所有していなくともレビューし合うことができると共に、従来のように、複数のユーザが使用しているユーザ端末２それぞれに対して同期させる必要がないため、作業性を向上させることができる。しかして、ユーザ端末２（図１参照）のＲＡＭ２３（図１参照）内に一時的に記憶されているプログラムに基づいて、ユーザ端末２（図１参照）のＣＰＵ２０（図１参照）にて書き込み用レイヤー（例えば、透明なレイヤー）及びコメント欄を生成させても、レビューサーバ１にて書き込み用レイヤー（例えば、透明なレイヤー）及びコメント欄を生成させても、同様の効果が生じることとなる。
【００６２】
なお、レビューサーバ１にて書き込み用レイヤー（例えば、透明なレイヤー）及びコメント欄を生成させるにあたっては、図７に示すステップＳ１〜ステップＳ１４に示す処理のうち、図７に示すステップＳ９の処理がレビューサーバ１にて行われ、図７に示すステップＳ１１の処理がレビューサーバ１にて行われることとなる。また、レビューサーバ１には、書き込み用レイヤーを生成する書き込み用レイヤー生成部、コメント欄を生成するコメント欄生成部の構成が新たに追加され、Ｗｅｂブラウザー用プログラム格納部１１が不要となる。さらに、図７に示すステップＳ３の処理も不要となる。
【００６３】
一方、本実施形態においては、レビューサーバ１を一台で構築する例を示したが、勿論、処理を分散させ複数台で構築しても良い。
【００６４】
また、本実施形態において説明した、レビューシステム及び使用例並びに画面例はあくまで一例であり、これに限定されるものではない。
【符号の説明】
【００６５】
１      レビューサーバ（サーバ）
２      ユーザ端末
１０    中央制御部
１１    Ｗｅｂブラウザー用プログラム格納部
１２    レビュー内容データベース
１３    画面データ生成部
１４    計時タイマ
２０    ＣＰＵ
２１    入力部
２２    ＲＯＭ
２３    ＲＡＭ
２４    表示部
Ｒ２    第２レイヤー（書き込み用レイヤー）
Ｒ３    第３レイヤー（書き込み用レイヤー）
Ｒ４    第４レイヤー（書き込み用レイヤー）
Ｒ５    第５レイヤー（書き込み用レイヤー）
ＴＢＬ  テーブル
Ｎ      ネットワーク
【図１】
2019053571.tif 000003
【図２】
2019053571.tif 000004
【図３】
2019053571.tif 000005
【図４】
2019053571.tif 000006
【図５】
2019053571.tif 000007
【図６】
2019053571.tif 000008
【図７】
2019053571.tif 000009